(57)【要約】【課題】装置の大型化を招くことなく照射範囲を拡大することにより操作性及び見栄えを向上できる車両用機器の操作装置を提供する。【解決手段】ノブ部材１７は、光源２２から照射された光ａを透過する照射部１７ａと、該照射部１７ａの外周縁部に続いて前記光源２２の外周部を囲むように延びる筒部１７ｂとを有し、ケース部材１５の支持部１５ｂは、前記ノブ部材１７の筒部１７ｂの内周面に略当接するよう挿入配置され、ギヤ部材１９は、前記ノブ部材１７の筒部１７ｂと略同じ外径を有し、かつ該筒部１７ｂの車両前側に略同心円をなすよう配置されている。【選択図】図４
2014067674.tif 000002
【特許請求の範囲】
【請求項１】
筒状の支持部を有するケース部材と、
該ケース部材の支持部に支持されたノブ部材と、
該ノブ部材に回転可能に装着されたダイヤル操作部材と、
該ダイヤル操作部材の回転により操作検出スイッチをオンオフするギヤ部材とを備えた車両用機器の操作装置において、
前記ノブ部材は、光源から照射された光を透過する照射部と、該照射部の外周縁部に続いて前記光源の外周部を囲むように延びる筒部とを有し、
前記ケース部材の支持部は、前記ノブ部材の筒部の内周面に略当接するよう挿入配置され、
前記ギヤ部材は、前記ノブ部材の筒部と略同じ外径を有し、かつ該筒部の車両前側に略同心円をなすよう配置されている
ことを特徴とする車両用機器の操作装置。
【発明の詳細な説明】
【技術分野】
【０００１】
本発明は、自動車に搭載される空調機器，カーオーディオ機器，あるいはカーナビゲーション機器等の車両用機器の操作装置に関する。
【背景技術】
【０００２】
自動車に搭載される空調機器の操作装置として、例えば、特許文献１には、ダイヤル操作部を回転操作することにより設定温度を調整できるようにしたものが開示されている。この操作装置は、操作基体（２００）に固定された円筒状の回転支持凸部（５１）の外周部にダイヤル操作部（１０）を相対回転可能に装着し、該回転支持凸部（５１）内に押しボタンスイッチ（３）の進退筒（３２）を回転不能に挿入配置した構造を有する（特許文献１の図４，図５参照）。
【０００３】
このような操作装置においては、操作性及び見栄えの向上を図る観点から、例えば、押しボタンスイッチ（３）の進退筒（３２）内に光源を配置し、該光源により押しボタンスイッチ（３）の底部を照射させる場合がある。
【先行技術文献】
【特許文献】
【０００４】
【特許文献１】特開２００７−２３４４８０号公報
【発明の概要】
【発明が解決しようとする課題】
【０００５】
ところで、前記従来の操作装置では、押しボタンスイッチの進退筒が回転支持凸部（ケース部材）の内側に配置されていることから、押しボタンスイッチに光を照射すると、該押しボタンスイッチの中心部分のみ照射されることとなり、照射範囲が狭く操作性及び見栄えの向上を図るうえでの改善が要請されている。ここで、照射範囲の拡大を図るには、押しボタンスイッチの進退筒の径を大きくすることが考えられるが、このようにすると装置全体が大型化するという問題が生じる。
【０００６】
本発明は、前記従来の状況に鑑みてなされたもので、装置の大型化を招くことなく照射範囲を拡大することにより、操作性及び見栄えを向上できる車両用機器の操作装置を提供することを課題としている。
【課題を解決するための手段】
【０００７】
本発明は、筒状の支持部を有するケース部材と、該ケース部材の支持部に支持されたノブ部材と、該ノブ部材に回転可能に装着されたダイヤル操作部材と、該ダイヤル操作部材の回転により操作検出スイッチをオンオフするギヤ部材とを備えた車両用機器の操作装置において、前記ノブ部材は、光源から照射された光を透過する照射部と、該照射部の外周縁部に続いて前記光源の外周部を囲むように延びる筒部とを有し、前記ケース部材の支持部は、前記ノブ部材の筒部の内周面に略当接するよう挿入配置され、前記ギヤ部材は、前記ノブ部材の筒部と略同じ外径を有し、かつ該筒部の車両前側に略同心円をなすよう配置されていることを特徴としている。
【発明の効果】
【０００８】
本発明に係る操作装置によれば、ノブ部材を、光源から照射された光を透過する照射部と該照射部の外周縁部に続いて光源の外周部を囲むように延びる筒部とを有するものとし、ケース部材の支持部を、ノブ部材の筒部の内周面に略当接するよう挿入配置したので、ノブ部材の筒部を支持部の外側に配置した分だけ照射部を拡大することができ、装置全体の大型化を招くことなく操作性及び見栄えを向上できる。
【０００９】
また本発明では、ギヤ部材をノブ部材の筒部の車両前側に略同心円をなすよう配置したので、ノブ部材の筒部の軸長さを短くすることができ、それだけ装置全体の軸方向寸法を縮小できるとともに、型費や材料費等のコストを低減することができる。
【図面の簡単な説明】
【００１０】
【図１】本発明の実施例１による自動車用空調機器の操作装置の車室内側から見た正面図である。
【図２】前記操作装置の分解斜視図である。
【図３】前記操作装置の斜視図である。
【図４】前記操作装置の断面図（図３のIV-IV線断面図）である。
【発明を実施するための形態】
【００１１】
以下、本発明の実施の形態を添付図面に基づいて説明する。
【実施例１】
【００１２】
図１ないし図４は、本発明の実施例１による車両用機器の操作装置を説明するための図である。
【００１３】
図において、１は自動車に搭載された空調機器（不図示）を操作する操作装置を示している。この操作装置１は、運転席の前方に配設された不図示のインストルメントパネルに配設されており、空調温度を調整するダイヤル式操作部１ａと、該操作部１ａの外周部に配置された押しボタン式操作部１ｂと、該押しボタン式操作部１ｂの上側に配置された押しボタン式切り換え操作部１ｃ及び表示部１ｄとを有する。
【００１４】
前記押しボタン式操作部１ｂは、Ａ／Ｃスイッチ２，ＡＵＯＴスイッチ３，送風ファンスイッチ４を有する。また前記押しボタン式切り換え操作部１ｃは、フロントガラスヒータースイッチ５，リヤガラスヒータースイッチ６，吹き出し口切り換えスイッチ７，内外気切り換えスイッチ８，風量切り換えスイッチ９を有する。
【００１５】
前記操作装置１は、図２に示すように、収納ケース１０にプリント配線基板１１，リフレクタ１２及び前記操作表示部１ｄを収納するとともに、ケース部材１５を装着し、該ケース部材１５にスイッチ収納部材１６を装着した概略構造を有する。
【００１６】
このスイッチ収納部材１６に、前記Ａ／Ｃスイッチ２，ＡＵＯＴスイッチ３，送風ファンスイッチ４，フロントガラスヒータースイッチ５，リヤガラスヒータースイッチ６，吹き出し口切り換えスイッチ７，内外気切り換えスイッチ８，風量切り換えスイッチ９が配設されている。
【００１７】
前記ケース部材１５は、ケース本体１５ａの中央部に車室内側に突出する円筒状の支持部１５ｂを一体に形成するとともに、該ケース本体１５ａの上部に前記表示部１ｄが配置された窓部１５ｃを形成した構造を有する。
【００１８】
前記ケース部材１５の支持部１５ｂに前記ダイヤル式操作部１ａが配設されている。このダイヤル式操作部１ａは、前記支持部１５ｂに装着された有底円筒状のノブ部材１７と、該ノブ部材１７に時計回り，反時計回りに相対回転可能に装着された円筒状のダイヤル操作部材１８と、該ダイヤル操作部材１８の回転により前記プリント配線基板１１に接続された操作検出スイッチ２０をオンオフする円筒状のギヤ部材１９とを備えている。
【００１９】
前記ノブ部材１７は、前記プリント配線基板１１に接続されたＬＥＤ２２から照射された光ａを透過する白色系の照射部１７ａと、該照射部１７ａの外周縁部に続いて前記ＬＥＤ２２の外周部を囲むように車両前方に延びる黒色系の遮蔽筒部１７ｂとを有する。
【００２０】
前記ノブ部材１７の照射部１７ａと遮蔽筒部１７ｂとは２色成形により一体に形成したものであり、これにより前記ＬＥＤ２２から照射された光ａは、遮蔽筒部１７ｂにより遮蔽されて光漏れすることなく照射部１７ａのみ照射されることとなる。
【００２１】
前記ダイヤル操作部材１８は、前記ノブ部材１７の遮蔽筒部１７ｂの上端外周部を囲むように配置された操作部１８ａと、該操作部１８ａに続いて車両前方に延びる操作伝達部１８ｂとを有する。
【００２２】
前記ノブ部材１７の照射部１７ａの外周縁部には、周方向に延びる凹溝１７ｃが形成されている。また前記ダイヤル操作部１８の上縁部には、前記凹溝１７ｃ内に延びる断面下向きコ字形状をなす庇部１８ｃが形成されている。これによりノブ部材１７とダイヤル操作部１８との隙間から光が外部に漏れるのを防止している。
【００２３】
前記ギヤ部材１９は、円筒体１９ａの車両前側端部に前方に開口する摺動凹部１９ｂを形成するとともに、該摺動凹部１９ｂの外側下面に多数の歯１９ｃを所定間隔をあけて形成した構造を有する。この何れかの歯１９ｃが前記操作検出スイッチ２０に接触するようになっている。
【００２４】
前記ケース部材１５のケース本体１５ａには、前記摺動凹部１９ｂに係合するガイド部１５ｄが形成されており、これによりギヤ部材１９の径方向及び前方への移動が規制されている。
【００２５】
前記ギヤ部材１９の円筒体１９ａには、周方向に所定間隔をあけて複数の連結爪１９ｄが外方に突出形成されており、該各連結爪１９ｄは前記ダイヤル操作部材１８の操作伝達部１８ｂに形成された孔１８ｄに係合している。これによりダイヤル操作部材１８の回転操作に伴ってギヤ部材１９が一体に回転する。ここで、本実施例では、ダイヤル操部材１８とギヤ部材１９とを別々に形成したが、本発明は、両者１８，１９を一体に形成することも可能である。
【００２６】
前記ギヤ部材１９は、前記ノブ部材１７の遮蔽筒部１７ｂと略同じ径を有し、かつ遮蔽筒部１７ｂの車両前側に該遮蔽筒部１７ｂと略同心円をなすよう配置されている。これによりノブ部材１７の遮蔽筒部１７ｂの軸線方向寸法は、ギヤ部材１９の分だけ大略１／２程度に縮小されている。
【００２７】
そして前記ケース部材１５の支持部１５ｂは、前記ノブ部材１７の遮蔽筒部１７ｂの内周面に当接するよう挿入配置されている。換言すれば、ノブ部材１７の遮蔽筒部１７ｂは、ケース部材１５の支持部１５ｂの外側のダイヤル操作部１８との間に挿入配置されている。
【００２８】
前記ケース部材１５は、前記ノブ部材１７を回転不能に支持する回転阻止部２５と、前記ギヤ部材１９を回転可能に支持する回転支持部２６とを有する。
【００２９】
前記回転阻止部２５は、前記ケース部材１５の支持部１５ｂの上縁に周方向に９０度の間隔をあけて形成された係合爪１５ｅを、前記ノブ部材１７の遮蔽筒部１７ｂの各係合爪１５ｅに対応した部位に形成された係合孔１７ｅに係合させることにより構成されている。これによりノブ部材１７はケース部材１５に固定されている。
【００３０】
前記回転支持部２６は、前記ケース部材１５の支持部１５ｂの上下方向中途部に周方向に９０度の間隔をあけて形成されたストッパ爪１５ｆを、前記ギヤ部材１９の車室側端面１９ｆに当接させることにより構成されている。これによりギヤ部材１９は、ケース部材１５のストッパ爪１５ｆと前記ガイド部１５ｄにより前後方向及び径方向への移動が規制されている。
【００３１】
また前記ノブ部材１７の遮蔽筒部１７ｂの車両前側の下縁には、前記ストッパ爪１５ｆに近接するよう延びる遮蔽部１７ｆが延長形成されている。この遮蔽部１７ｆにより支持部１５ｂを透過した光が外部に漏れるのを防止している。
【００３２】
前記ケース部材１５の係合爪１５ｅとストッパ爪１５ｆとは、周方向に４５度の間隔をあけて交互に配置されている。このように係合爪１５ｅとストッパ爪１５を交互に配置したので、コストを上昇させることなく車両前後方向の型抜きに対応できる。ここで、型抜きが径方向にスライドさせる場合には、係合爪及びストッパ爪を同軸線上に配置することにより対応できる。
【００３３】
このように本実施例によれば、ケース部材１５に支持されたノブ部材１７を、ＬＥＤ２２から照射された光ａを透過する照射部１７ａと、該照射部１７ａの外周縁部に続いて前記ＬＥＤ２２の外周部を囲むように延びる遮蔽筒部１７ｂとを有するものとし、前記ケース部材１５の支持部１５ｂを、前記ノブ部材１７の遮蔽筒部１７ｂの内周面に当接するよう挿入配置したので、該ノブ部材１７の遮蔽筒部１７ｂを前記支持部１５ｂの外側に配置した分だけ照射部１７ａを拡大することができ、装置全体の大型化を招くことなく操作性及び見栄えを向上できる。ちなみに、本実施例では、従来の２０φｍｍの照射部に対して外径を変えることなく２６φｍｍの拡大が可能となった。
【００３４】
また本実施例では、前記ギヤ部材１９をノブ部材１７の遮蔽筒部１７ｂの車両前側に略同心円をなすよう配置したので、前記遮蔽筒部１７ｂの軸長さを１／２程度短くすることができ、それだけ装置全体の軸方向寸法を縮小できるとともに、型費や材料費等のコストを低減することができる。
【００３５】
なお、前記実施例では、空調機器の操作装置を例に説明したが、本発明の車両用機器には、カーオーディオ機器，カーナビゲーション機器等が含まれ、これらの操作装置に適用した場合にも前記実施例と同様の効果が得られる。
【符号の説明】
【００３６】
１  操作装置
１５  ケース部材
１５ｂ  支持部
１７  ノブ部材
１７ａ  照射部
１７ｂ  遮蔽筒部
１８  ダイヤル操作部材
１９  ギヤ部材
２０  操作検出スイッチ
２２  ＬＥＤ（光源）
【図１】
2014067674.tif 000003
【図２】
2014067674.tif 000004
【図３】
2014067674.tif 000005
【図４】
2014067674.tif 000006